(57)【要約】  特に工場、家庭および病院での廃物、およびその他の廃物を圧縮することによってその容積を減じることのできる廃物を貯蔵し、部分的真空の作用により、ごみ入れの容積内の圧力を減じて廃物を圧縮する手段を有するごみ入れであって、該ごみ入れは、前記手段が、廃物、ときにはごみ袋に入れられた廃物が集められる気密性変形自在の囲体（１，１４）の形で形成され、前記変形自在の囲体は、変形自在のエプロンを形成するように蝶番でつながれた硬質のプレートまたはボード（２，２’）のアセンブリーからなる少なくとも１つの側壁を有し、囲体の内側で作用する部分的真空の影響の下で、前記変形自在のエプロン状側壁と対向する壁との間で廃物に負荷が作用し、前記囲体の面の１つは、廃物の導入口として開けられ気密性のふた（６）が設けられている、廃物貯蔵用ごみ入れである。
2007504071.tif 000002
【特許請求の範囲】
【請求項１】
特に工場、家庭および病院での廃物、およびその他の廃物を圧縮することによってその容積を減じることのできる廃物を貯蔵し、部分的真空の作用により、ごみ入れの容積内の圧力を減じて廃物を圧縮する手段を有するごみ入れであって、該ごみ入れは、前記手段が、廃物、ときにはごみ袋に入れられた廃物が集められる気密性変形自在の囲体（１，１４）の形で形成され、前記変形自在の囲体は、変形自在のエプロンを形成するように蝶番でつながれた硬質のプレートまたはボード（２，２’）のアセンブリーからなる少なくとも１つの側壁を有し、囲体の内側で作用する部分的真空の影響の下で、前記変形自在のエプロン状側壁と対向する壁との間で廃物に負荷が作用し、前記囲体の面の１つは、廃物の導入口として開けられ気密性のふた（６）が設けられている、ことを特徴とする廃物貯蔵用ごみ入れ。
【請求項２】
変形自在の囲体が、支持機構または外装（４）の中に配置され、廃物、ときにはごみ袋に入れられた廃物が集められる変形自在のコンテナーを収容する丈夫なプラスチック製の気密柔軟性バッグまたは封筒状バッグからなり、前記コンテナーは、前記変形自在のエプロンを形成する、前記硬質のプレートまたはボード（２，２’）の取り付けられた少なくとも１つの側壁を有する、請求項１に記載の廃物貯蔵用ごみ入れ。
【請求項３】
変形自在の囲体が、複数の被覆織物面をアセンブルして、例えば、接着または溶接して、整然と平行につながれ吊り下げられた一般的な形状に作られた柔軟な気密性バッグまたは封筒状バッグ（１４）からなり、廃物を入れるためにその小さな面の１つが開かれ、他方の底部を形成している小さな面は硬く作られ、前記封筒状バッグは、この開口部を閉じるドアの閉鎖面として作用する硬質のフレームに気密に取り付けられ、前記封筒状バッグは、この開口部を閉じるドア用閉鎖面として機能する硬質のフレームに気密に取り付けられ、かつ封筒状バッグの大きな壁の少なくとも１つに、前記蝶番でつながれたプレートまたはボード（２，２’）が取り付けられて前記変形自在のエプロンを形成するように作られている、請求項１に記載の廃物貯蔵用ごみ入れ。
【請求項４】
硬質のプレートまたはボードは、変形自在のエプロンを形成している前記壁の内面に接して設けられたポケット内に配置され、これらのポケットは、前記プレートまたはボードをそれらの中に収めた後、接着結合して閉じられている、請求項３に記載の廃物貯蔵用ごみ入れ。
【請求項５】
蝶番でつながれたプレートまたはボードが、前記封筒状バッグに直接結合されている、請求項３に記載の廃物貯蔵用ごみ入れ。
【請求項６】
蝶番でつながれたプレートまたはボードが、複合構造、特に硬質材上に被覆成形された柔軟材によって形成されている、請求項３に記載の廃物貯蔵用ごみ入れ。
【請求項７】
蝶番でつながれたプレートまたはボードが、所定の厚さでまたは網状リブの形で封筒状バッグ固有の幾何学的形状によって形成されている、請求項３に記載の廃物貯蔵用ごみ入れ。
【請求項８】
前記変形自在の囲体が、２つの互いに対向して変形自在のエプロンを形成する側壁を有している、先の請求項のいずれかに記載の廃物貯蔵用ごみ入れ。
【請求項９】
前記封筒状バッグの小側部（１３，１３’；１８，１８’）が、その内部に部分的真空を適用すると外側に折り畳まれるように設計されている、先の請求項のいずれかに記載の廃物貯蔵用ごみ入れ。
【請求項１０】
底部を形成する小側部が、少なくとも２つの伸縮式硬質プレートからなっている、先の請求項のいずれかに記載の廃物貯蔵用ごみ入れ。
【請求項１１】
底部を形成する小側部が、互いに蝶番でつながれた２つの硬質プレート（９，９’）からなっている、請求項１乃至９のいずれかに記載の廃物貯蔵用ごみ入れ。
【請求項１２】
底部を形成する小側部が、柔軟性を有する厚い弾性材で作られている、請求項１乃至９のいずれかに記載の廃物貯蔵用ごみ入れ。
【請求項１３】
廃物を垂直に押しつぶし、かつ部分的真空が解かれると再び上方に膨張するのを防止する手段を有している、先の請求項のいずれかに記載の廃物貯蔵用ごみ入れ。
【請求項１４】
ごみ入れが閉じられると、その閉じふた（６）の下側に設けられたラム部品（２１）によって、廃物が機械的に下方に押され垂直に押しつぶされる、請求項１３に記載の廃物貯蔵用ごみ入れ。
【請求項１５】
ごみ入れの閉じふた（６）の下側に設けられたふいごまたはピストン式手段（２２）によって廃物を垂直に押しつぶす、特にごみ入れの内側に部分的真空が作り出されるときの負圧の作用により、該手段が廃物を垂直に押し下げるために移動する、請求項１３に記載の廃物貯蔵用ごみ入れ。
【請求項１６】
封筒状バッグの底部へと廃物を押しつぶすのを助けるために、前記手段の内側に圧力が掛けられる、請求項１５に記載の廃物貯蔵用ごみ入れ。
【請求項１７】
封筒状バッグの頂部において柔軟な圧縮部品により廃物を垂直に押しつぶす、請求項１３に記載の廃物貯蔵用ごみ入れ。
【請求項１８】
封筒状バッグの側壁の頂部において伸縮式ボード（２９）により廃物を垂直に押しつぶす、請求項１３に記載の廃物貯蔵用ごみ入れ。
【請求項１９】
封筒状バッグの側壁の頂部において平行運動機構を形成する蝶番でつながれたボード（２３）により廃物を垂直に押しつぶす、請求項１３に記載の廃物貯蔵用ごみ入れ。
【請求項２０】
封筒状バッグに振動運動を与えることにより廃物を垂直に押しつぶし、この運動がごみ入れを部分的真空下に置くために使用された真空ポンプの自然振動である、請求項１３に記載の廃物貯蔵用ごみ入れ。
【請求項２１】
真空が解かれた後、再び廃物が上方に膨張するのを防止する手段を有する、先の請求項のいずれかに記載の廃物貯蔵用ごみ入れ。
【請求項２２】
前記手段が、封筒状バッグをくさび形状とすることにある、請求項２１に記載の廃物貯蔵用ごみ入れ。
【請求項２３】
前記手段が、封筒状バッグの内面を粗面（２４）とすることにある、請求項２１に記載の廃物貯蔵用ごみ入れ。
【請求項２４】
前記粗面（２４）が、変形自在のエプロンの硬質ボードまたはプレート（２，２’）に設けられている、請求項２３に記載の廃物貯蔵用ごみ入れ。
【請求項２５】
封筒状バッグの内側で廃物が再び上方に膨張するのを防止することにより、廃物を圧縮した位置に留めるように設計され、かつ封筒状バッグの頂部に空き導入スペース（２６）を作り出すように設計された手段を有する、先の請求項のいずれかに記載の廃物貯蔵用ごみ入れ。
【請求項２６】
前記手段が、封筒状バッグの頂部に、ドアを開けることによって操作される運動ネック（２５）を設けてなり、該ネックが封筒状バッグ頂部の外表面を押し付ける空気袋のように形成されている、請求項２５に記載の廃物貯蔵用ごみ入れ。
【請求項２７】
前記手段が、封筒状バッグの頂部に、その内側に配設された例えば柔軟なボードの形で、柔軟な材料で作られた固定ネック（２７）を設けることにあり、これらのボードが非復元作用を行う、請求項２５に記載の廃物貯蔵用ごみ入れ。
【請求項２８】
前記手段が、前記固定ネック（２７）を通る廃物の通過を促進するような形状を、ふたの内部形状に与えることにある、請求項２７に記載の廃物貯蔵用ごみ入れ。
【発明の詳細な説明】
【技術分野】
【０００１】
本発明は、家庭、工場、病院などでの生ごみ等の廃物およびその他の廃棄物を圧縮する装置に関する。この装置は本質的に、消費者の家庭でのような、その発生場所で廃物を圧縮するように設計されている。
【背景技術】
【０００２】
消費者の家庭から廃物選別処理センターへの、家庭生ごみなどの廃物の取り扱いを容易にするために、圧縮装置の開発がなされてきた。特に再利用可能な容器（プラスチック製のびん、箱、食料缶等）のように廃物を乾燥すると、これらは、かなりの容積の節約を可能とする。また、圧縮することは、単に廃物の占める容積が小さくなるだけでなく、頻繁な収集を必要とせず、廃物の収集を容易にする。これは地域社会全体にとって、費用の節減につながる（取り扱われる廃物収集コンテナー数の低減、集積車のより速い巡回、騒音公害の減少等）。また、圧縮することは、廃物の占める容積が小さくなり、頻繁に運び出す必要がなくなることを意味するため、利用者にとって極めて有益である。
【０００３】
この目的に対して、廃物の圧縮に圧力を利用する装置がある。それらは、一般に廃物の入っているコンテナー内の容積を減じるためにピストンあるいは可動プレートを使用している。この従来技術について、以下に説明する。
【０００４】
特許文献１は、圧縮されるべき廃物が入っているコンテナーを有する家庭廃物圧縮システムを開示しており、その中では、圧力の作用下、廃物を加圧するために圧力プレートが垂直に移動可能となっている。これは、圧力プレート作動手段を収めるために、重くて容積の大きな蓋が必要という大きな欠点を有するかなり複雑な装置である。
【０００５】
また、従来技術には、家庭において、入れ物に入っている廃物を負の圧力によってコンパクト化する真空システムを使用する装置がある。この技術は、大抵のリサイクル可能な梱包物の圧縮が可能であり、また、廃物の真空貯蔵は、バクテリアの成長と残飯の腐敗を大きく制限するために、臭気の観点から好ましい。また、真空圧縮は、包装物をしっかりと包み込み、真空が解放されると、包装物が自然にばらばらになるため、選別センターでの選別機に対してなんら困難を生じることなく、その容積を最適なものとする。
【０００６】
この従来技術に対して、次のように言及することができる。
【０００７】
特許文献２は、柔軟なふいごタイプの廃物圧縮機に関する。圧縮機内に負圧が掛けられると、ふいごは、アコーディオン状に縮まり廃物を圧縮する。この種の解決にとっての課題は、ごく小さな廃物圧縮比をそのような圧縮機で達成できるのか、ということである。この理由は、廃物がふいご間で圧縮されるにつれて、圧縮を妨げるということである。さらに、負圧から得られる多くのエネルギーは、ふいごや、その基盤および廃物そのものを持ち上げるのに費やされる。その他の不利益は、食料缶がふいご間で引っ掛かると、ふいごに損傷を与え、圧縮機を使えなくするということである。
【０００８】
特許文献３は、真空システムに接続された吸い込みフードを、廃物が入れられているごみ袋の上部開口部にはめ込むことにある。これは、機構的に単純な装置であるが、家庭での使用にはある種の操作を必要とし、当然のこと薄っぺらで、直接真空に曝されると裂けやすいごみ袋を直接使用するという不便さを有しており、圧縮される廃物に硬い物（食料缶や、ボール箱の角のような）があるとごみ袋が裂けることがある。いずれにしろ、この従来技術の装置の効率は極めて低い。
【特許文献１】ＦＲ−Ａ−２１８４９４１
【特許文献２】ＵＳ−Ｐ−３８９９９６７
【特許文献３】ＥＰ−Ａ−０９８９０５９
【発明の開示】
【発明が解決しようとする課題】
【０００９】
この従来技術の問題に鑑みて、本発明の課題は、家庭内のごみなどの廃物を負圧の作用を用いて圧縮することによりコンパクト化する装置を提供することであり、この装置は、デザイン的にも単純で複雑でなく、使用、維持が容易であり、従来技術が有する欠点を有さず、効率的にも極めて優れている。
【課題を解決するための手段】
【００１０】
従って、本発明は、特に圧縮することによってその容積を減じることのできる家庭廃物を貯蔵し、部分的真空の作用により、ごみ入れの容積内の圧力を減じて廃物を圧縮する手段を有するごみ入れに係り、本発明のごみ入れは、前記手段が、廃物、ときにはごみ袋に入れられた廃物が集められる気密性変形自在の囲体(airtight deformable enclosure)の形で形成され、前記変形自在の囲体は、変形自在のエプロンを形成するように蝶番でつながれた硬質のプレートまたはボードのアセンブリーからなる少なくとも１つの側壁を有し、囲体の内側で作用する部分的真空の影響の下で、前記変形自在のエプロン状側壁と対向する壁との間で廃物に圧縮力が作用し、前記囲体の面の１つは、廃物の導入口として開けられ、気密性のふたが設けられていることを特徴としている。
【００１１】
１つの好ましい例として、前記変形自在の囲体は、互いに対向して変形自在のエプロンを形成している２つの側壁を有する。
【００１２】
本発明の第１の例として、変形自在の囲体は、支持機構または外装の中に配置され、廃物、ときにはごみ袋に入れられた廃物が集められる変形自在のコンテナーを収容する丈夫なプラスチック製の気密柔軟性バッグ(airtight flexible bag)または封筒状バッグ(envelope bag)からなり、前記コンテナーは、前記変形自在のエプロンを形成する少なくとも１つの側壁を有している。
【００１３】
本発明の他の実施例では、変形自在の囲体は、複数の被覆織物面をアセンブルして、例えば、接着または溶接して、整然と平行につながれ吊り下げられた一般的な形状に作られた柔軟な気密性バッグまたは封筒状バッグからなり、廃物を入れるために前記織物面の小さな面の１つが開かれ、他方の底部を形成している小さな面は硬く作られている。前記封筒状バッグは、この開口部を閉じるドア用閉鎖面として機能する硬質のフレームに気密に取り付けられる。封筒状バッグの大きな壁の少なくとも１つに、前記蝶番でつながれたプレートまたはボード（２，２’）が取り付けられて前記変形自在のエプロンを形成するように作られている。この例においては、硬質のプレートまたはボードは、変形自在のエプロンを形成している前記壁の内面に接して設けられたポケット内に配置され、これらのポケットは、前記プレートまたはボードをそれらの中に収めた後、接着結合して閉じられている。変形例として、これらの蝶番でつながれたプレートまたはボードは、前記バッグに直接つなげるか、または複合構造、特に硬質材上に被覆成形された柔軟材として、あるいは所定の厚さでまたは網状リブの形で封筒状バッグ固有の幾何学的形状によって形成されている。
【発明を実施するための最良の形態】
【００１４】
本発明の他の特徴と利点は、様々な例を示す添付した図面を参照して、以下に与えられた説明によって開示されており、本発明は、これらの例になんら限定されるものではない。図面において；
【００１５】
図１および２は、本発明による装置の第１の実施例を示す概略垂直断面図である。
図３および４は、他の実施例を示す図１，２と同様の概略図である。
図５および６は、図３，４に示した実施例の変形を示している。
図７および８は、先に示した図と同様の図の部分図であり、装置の底部を示す実施例である。
図９および１０は、柔軟な気密封筒状バッグの縁壁（edge walls）例を示す本発明の装置の平面図である。
【００１６】
図１１は、本発明の主題について、他の好ましい実施例を示す概略斜視図である。
図１２は、図１１に示した実施例を拡大して示す図１と同様の概略図である。
図１３および１４は、図９，１０と同様の図であり、図１１，１２に示した実施例の縁壁の例を示している。
図１５および１６は、それぞれ柔軟な封筒状バッグにアクセスする２つの実施例を示す垂直立断面での、本発明による装置の正面図と側面図である。
図１７ａ−１７ｃは、本発明の装置の水平断面を示している。
図１８は、本発明の主題の、外装、制御パネルおよび真空ポンプを有する装置の概略斜視図である。
図１９ａ−１９ｃは、封筒状バッグの底部に向かって廃物を押しつぶす手段の第１の実施例を示し、これらの図は、図１，２と同様である。
図２０ａ−２０ｃは、封筒状バッグの底部に向かって廃物を押しつぶす手段の第２の実施例を示す、図１９ａ−１９ｃと同様の図である。
【００１７】
図２１ａおよび２１ｂは、封筒状バッグの底部に向かって廃物を押しつぶす手段の第３の実施例を示す、図１９ａ−１９ｃと同様の図である。
図２２ａおよび２２ｂは、封筒状バッグの底部に向かって廃物を押しつぶす手段の第４の実施例を示す、図１９ａ−１９ｃと同様の図である。
図２３ａ−２３ｃは、封筒状バッグの内側で廃物が再び上方に向かって膨れ上がるのを防止する手段の第１の実施例を示す、図１９ａ−１９ｃと同様の図である。
図２４は、封筒状バッグの内側で廃物が再び上方に向かって膨れ上がるのを防止する手段の第２の実施例を示す、図１９ａ−１９ｃと同様の図である。
図２５ａ−２５ｄは、封筒状バッグ内に廃物を保持し、かつ入口部に空き導入スペースを確保するために、本発明によって与えられた手段の第１の実施例を示す、図１９ａ−１９ｃと同様の図である。
図２６ａ−２６ｄは、封筒状バッグ内に廃物を保持し、かつ空き導入スペースを確保するために、本発明によって与えられた手段の第２の実施例を示す、図１９ａ−１９ｃと同様の図である。
図２７ａおよび２７ｂは、封筒状バッグ内に廃物を保持し、かつ空き導入スペースを確保するために、本発明によって与えられた手段の第３の実施例を示す、図１９ａ−１９ｃと同様の図である。
【００１８】
先ず、図１および２は、本発明の装置の第１の実施例を示している。上述したように、この装置は、部分的真空の作用下で、廃物をコンパクト化するためにごみ入れ内の圧力を減じる手段を有している。本発明においてこれらの手段は、符号１で示した変形自在の気密性の囲体の形で設けられ、そこで廃物は、ときにごみ袋の中にある廃物（図示していない）が集められ、この囲体１は、変形自在のエプロンを形成するように蝶番でつながれた硬質のプレートまたはボード２のアセンブリーからなり、囲体の内側で作用する部分的真空の作用下で、その硬質のプレートまたはボード２を有するこの側壁と対向する壁３との間で廃物に圧縮負荷を掛ける。図１に示すように、変形自在の気密性の囲体は、支持構造または外装４内に配置され、その面の１つは廃物が入れられるように開放されており、この開放面５には気密性のふた６が取り付けられている。
【００１９】
図１は、部分的真空が適用されていない状態にある本発明の装置を示しており、図２は、囲体７の内側に部分的真空が適用された使用状態にある装置を示し、これは、２のようなアッセンブルされたプレートまたはボードからなる変形自在のエプロンを装置の壁３に向かって移動させる作用を有している。以上から分かるように、この変形自在のエプロンの運動は、囲体７の内側にある廃物を圧縮する。
【００２０】
図３および４に示した実施例において、本発明による装置の変形自在の気密性の囲体１は、２つの変形自在のエプロンを形成するように構成された２つの側壁を有し、この目的のために、これらの壁はそれぞれ負圧が掛けられると（図４）、矢印で示されているように互いに向かって移動する硬質のプレートまたはボード２のアセンブリーがぴったりはまり込み、かくして囲体７内に入っている廃物を圧縮する。
【実施例】
【００２１】
本発明の第１の実施例において、変形自在の囲体１は、支持構造または外装４の中で、図１で示すように配置された、丈夫で柔軟なプラスチック製気密性バッグまたは封筒状バッグの形をとっている。この柔軟な封筒状バッグは、変形自在のエプロンを形成している少なくとも１つの側壁を有するコンテナーであり、その目的に対して、２のような硬質のプレートまたはボードが取り付けられている。
【００２２】
図１１−１４を参照して以下に述べる本発明の他の実施例においては、側壁または変形自在のエプロンの壁が封筒状バッグとなるようにまとめられている。
【００２３】
本発明の装置の底壁８は、硬製で特に図１で説明したように、単一のパネルからなっている。これに代えて、図５および６で説明したような互いに蝶番でつながれた２つのプレート９，９’の形式で、または図７および８で示したような伸縮式底部１０の形で、あるいは厚い柔軟性を有する弾性材で形成しても良い。
【００２４】
図５および６で示した実施例において、装置の側壁として形成された変形自在のエプロンは、下部パネル１２に蝶番でつながれた上部パネル１１の形で作られ、その操作は初めのほうで述べた例と全く同じである。図６は、囲体７の中に部分的真空が造り出されると、その中に含まれる廃物が如何にして圧縮されるかを明白に示している。
【００２５】
次に図９および１０を参照して説明するが、これらは、本発明の装置の平面図を示している。図は、２，２’のように蝶番でつながれたボードの存在によって変形自在のエプロンと、コンテナーの小さな側壁を形成している縁壁１３，１３’を形成している装置の側壁を概略で示している。これらの縁壁は、部分的真空がかけられると、それら自身が外に向かって動き折り畳まれるように設計されている（図１０）。それらは、エラストマーのような柔軟な弾性材で作られている。それらの厚さ、輪郭および硬度は、変形自在のエプロンを形成している装置の側壁同士が接近する前に、それらが部分的真空によって引き付けられないように設計されており、その結果、前記縁壁は対象物の圧縮を妨害せず、変に折り畳まれることはない。そのために弾性シートを付加して、あるいはバッグそれ自体の材料を厚くして形成しても良い。また、同じ目的のために、外方に予め賦形された形状部を縁壁に持たせて、側壁との間を連結するのが好ましい。
【００２６】
図１３および１４は、封筒状バッグの小側部の構造を示している。これらの小側部１８，１８’は、蝶番で一体とされたプレート２，２’で示された２つの変形自在のエプロン間にバッグが挟まれるのを防止し、変形自在の部分のバッグの高さを揃えるために柔軟な弾性材で作られている。これらの小側部は、部分的真空が適用されると（図１４）、折り畳みを案内するように特に予め賦形されている（図１３）。それらは、封筒状バッグの中に設けられた垂直のポケット内に配置された弾性プレートの形で、あるいは封筒状バッグ１４のこれらの領域に織物を被覆した厚手の物で設けられる。
【００２７】
次に、本発明の第２の実施例について説明する。ここでは、複数の硬質のプレートまたはボードを蝶番でつないでなるアセンブリーで示された変形自在のエプロンが、装置の気密封筒状バッグへと統合されている。
【００２８】
図１１の斜視図は、統括符号１４が付与されている封筒状バッグの実施例を示している。それは、次の特徴を有する、技術的制約を満足する複合構造物として定義される；気密性、一般的柔軟性、および硬質部品と弾性部品によって相互に連結された硬質部品。この実施例では、封筒状バッグ１４は、矩形の平行につながれた一般的形状で、複数の被覆織物面をアッセンブルして、例えば、接着接合または溶接して作られ、小側部１５の１つは廃物を入れるために開けられ、対向している他方の小側部１６は硬質である。この封筒状バッグの開口小側部１５は、図１を参照して説明した外装４と同様に硬質のフレームに気密にアッセンブルされている。また、この硬質のフレームは、封筒状バッグの開口部をシールするために覆うときの、ドア閉鎖面としても作用する。
【００２９】
図１２にその詳細を示したように、封筒状バッグ１４の２つの大きな垂直側部は、上述した変形自在のエプロンを形成するようにそれぞれ構成されている。この目的に対して、バッグには、２および２’のような蝶番でつながれたボードやプレートが与えられている。これらのプレートまたはボードは、変形自在のエプロンを形成している壁の各内面に設けられた一連の隣接するポケット内に収められる。その後、このポケットは、例えば、接着結合によって閉じられる。これに代えて、蝶番でつながれたプレートまたはボード２，２’を側壁の内面に直接接合することもできる。同様にして、底部１６は、バッグ１４の底部の内側または外側に設けられたポケットの中に配置された硬質のプレート１７で形成されている。
【００３０】
圧縮される廃物（ときには、ごみ入れの中に入っている）を導入するために設計された開口部は、装置の頂部、特には気密性の封筒状バッグ１または１４の頂部に設けられている。代わりに、それを図１５および１６で示したような一方の横方向の側部に設けることもできる。図１５において、ふた６の設けられた開口部は、その装置を使用に適した深さに最適化するために、作業面の下となるように装置の小さな方の垂直側部に設けられ、ごみ入れはその全有効深さが作業面の下となる。これに代わる図１６に示した例は、開口部が装置の大きな方の垂直側部に設けられている。
【００３１】
他の可能な変更例としては、水平に載置されている装置に対するものである。この変更例は、図１７ａ−１７ｃに示されている。それは、特に、台所にぴったり合わせたり、幾つかの特殊化されたコンテナー（選別、食品、紙等）のためを意図している。図１７ａ−１７ｃに示した例のように、廃物は、滑り引き出しまたはドア６のいずれかを介して中に入れられる。図１７ａは、廃物が中に入れられる前のコンテナーを示し、図１７ｂは、その囲体７の中に部分的真空がかけられる前のドア６が閉じられた同じコンテナーを示し、図１７ｃは、囲体７の内側に部分的真空がかけられている同じコンテナーを示し、先に図２で示したように正確に操作される。
【００３２】
図１８は、本発明の装置の概略図を示している。図に見られるように、コンテナーは、２，２’のような変形自在のエプロン、またはプレートを蝶番でつないでアッセンブルしてなるエプロンを組み付けた封筒状バッグ１４からなり、このアッセンブルは、気密性のふた６と制御パネル１９を備えた外装４の中に配置されている。この実施例において、真空ポンプ２０は、外装４の外に配置されている。
【００３３】
本発明の装置において、廃物が入れられる囲体７は、真空が解かれると廃物がコンテナーの底に落ち込まずに部分的にその元の形にはね戻るために（記憶効果）、まもなく廃物で一杯になる。それゆえ、囲体７は、さらに廃物を収容するための有効容積が速やかに使い果たされる。この問題を避けるために、本発明は、バッグの頂部に空きスペースを確保してさらに廃物が容易に加えられるように、廃物を垂直に押しつぶす手段を有している。これらの手段は、云わば、廃物を垂直に押しつぶすこと、および／または囲体７内でのその再膨張を抑制すること、および／または囲体の頂部の入口に空き導入スペースを造り出すことからなっている。
【００３４】
先ず図１９ａ−１９ｃを参照すると、これらは、囲体７の充填サイクルの過程を通して、封筒状バッグ３または１４の底部に向かって廃物を垂直に押しつぶすために、本発明によって得られた手段の実施例を示している。この目的のために、ふた６は、これを閉じると廃物を機械的に押す容積部品２１を有している。図１９ｂは、ふた６の容積部品２１の存在による廃物に対するラム効果を明らかに示しているが、図１９ｃは、囲体７の頂部に容積部品２１によって作られた空いた容積を示している。
【００３５】
同じ効果は、ふた６が囲体７の中に突き出す格納式容積部品２２を有する図２０ａ−２０ｃで示した変形例によっても与えられる。この格納式容積部品は、ふたの下側に、囲体７が閉じるとき操作される装置を備えることによって作られる。このふいごまたはピストン装置は、囲体７の閉鎖によって降下する。それは、例えば、真空が解かれたとき、それを持ち上げ、元に戻すためのスプリングの弱い力によって、ふた６に保持されている。その装置の力は、それに圧力をかけることによって増すことができ、封筒状バッグの底に向かって廃物を押しつぶす助けとなる。図２０ｂは、この装置が囲体７の頂部に空いた容積を作り出す働きを示している。
【００３６】
この問題に対する他の解決法は、変形自在のエプロンの上、封筒状バッグの頂部に２９のような伸縮式ボードを設けることである。この解決法は、図２１ａおよび２１ｂに示されている。これから理解されるように（図２１ｂ参照）、この解決法は、ふたが下方に下がることで、封筒状バッグ内の廃物を押しつぶす。
【００３７】
他の解決法は、封筒状バッグの頂部、ふた６の下に平行に蝶番でつながれたボード２３を設けることである。この解決法は、図２２ａおよび２２ｂに示されている。前の解決法と同様に、それは廃物を下方に押すためにふた６を押し下げることができる。
【００３８】
また、封筒状バッグに振動運動を与えることにより、廃物を垂直に下方に押しつぶすことができる。この運動は、重力による廃物の下方への運動を助け、廃物を押しつぶす助けとなる。この振動運動は封筒状バッグに、例えば、真空ポンプの自然振動によって伝えられる。
【００３９】
また、この廃物に対する垂直圧搾は、封筒状バッグの頂部に柔軟性を有する圧縮可能な部材を備えることによっても得られる。
【００４０】
本発明の装置の作用をさらに改善するために、真空が解かれると、廃物が再び上方に膨張するのを抑制する手段を取り付けてもよい。これらの手段は、図２３ａ−２３ｃに示されている。それらは、封筒状バッグを例えば、楔形（図２３ａ）、弓形（図２３ｂ）あるいはびん形（図２３ｃ）に形成するものである。このように、真空が解かれ、廃物が再び膨張するとき、容積の膨張の垂直成分（矢印Ｆ）がバッグの外表面によって与えられる。それにより、廃物に囲体７の底部に留めようとする力が働く。
【００４１】
他の実施例においては、廃物の上方への膨張を、封筒状バッグの内面をざらざらにすることにより防止している。この変更例は図２４に示され、ざらざらな粗面が符号２４で図形的に示されている。ざらざら面は、蝶番でつながれたエプロンの２，２’のような硬質のボードまたはエプロンの形で示されているが、それらの細部は、封筒状バッグの成形の際に付与することができる。
【００４２】
他の実施例においては、封筒状バッグの下部に廃物を留めるために、変形自在のバッグの頂部にネックがあり、空き導入スペースを作り出す。この実施例は、先ず、廃物を押すピストン作用を生じ、次に、封筒状バッグの頂部に向けての圧縮された廃物の再膨張を抑制する非復元作用を生じるものである。
【００４３】
図２５ａ−２５ｄに示した例では、封筒状バッグの頂部に運動ネック、すなわち真空が解かれたとき、封筒状バッグの囲体７内の圧縮された廃物の頂部に圧力をかけるように設計されたネックを有している。このようにして廃物は、囲体７の底部に保持され、さらに空きスペースへの廃物の受け入れを可能とする。
【００４４】
図２５ａ−２５ｄに示した例において、この運動ネックは、封筒状バッグの上部の周囲に適合した形状のもの、例えば、管２５から作られ、ドア６を開けることにより操作されるシステムによって圧搾空気が供給される。図２５ａは囲体７の中へと廃物が導かれる圧縮前の位置を示し、図２５ｂは圧縮中の状態を、次にふた６が下方に移動し、図２５ｃは圧縮後真空が解かれる前の位置を、図２５ｄは廃物圧縮後空けられる前の位置を示し、この図は、封筒状バッグの囲体７の頂部に、空き導入スペース２６の存在を示している。
【００４５】
図２６ａ−２６ｄおよび図２７ａ，２７ｂに示した例では、封筒状バッグの中に廃物を保持する同じ目的のために、バッグの頂部に空き導入スペースを作っている間、固定ネックが使用されている。
【００４６】
この解決法による固定ネックは、廃物が押し下げられる方向には通るが上がってこないように、弾性材のような柔軟材から作られている。この固定ネックには垂直に押し下げる力が必要とされるために、封筒状バッグの周囲を取り巻く簡単な弾性ベルトの形で、あるいはバッグの内側に取り付けられた水平で柔軟なブレード２７のようなシステムで作られ、非復元作用を及ぼす。
【００４７】
図２６ａは、廃物が囲体７の中へと導かれる、圧縮前の位置を示し、図２６ｂは圧縮中の状態を示し、ふた６が下方に移動することで、図２６ｃは圧縮後の真空が解かれる前の位置を示し、そして図２６ｄは廃物の圧縮後ごみ入れが開けられる前の位置を示し、この図は明らかに封筒状バッグの囲体７の頂部に空けられた、空き導入スペースの存在を示している。
【００４８】
図２７ａおよび２７ｂに示された他の例において、ふた６の内側形状部２８には、廃物が固定ネック２７を通り抜けるのを助ける形状が与えられ、その操作は上述した通りである。
【００４９】
本発明によるごみ入れの一般的操作サイクルは、以下の通りである。
−廃物が入れられる。
−ふたが閉じられれる。
−部分的真空状態とされる（廃物を押しつぶす）。
−真空が解かれる。
−ごみ入れが開けられる。
【００５０】
このシーケンスは、封筒状バッグが一杯となるまで繰り返される。本発明の装置は、上記に限定されず数多くの適用例が挙げられ、乾燥廃物のみならず（箱、食料缶、およびプラスチック製のびん等）、生ごみの圧縮にも使用される。
【００５１】
本発明の装置によれば、圧縮により廃物の容積が減少するという利点に加えて、廃物を嫌気性状態で保持し、バクテリアの成長を防止する。
【００５２】
本発明は、上記実施例または上述例および／または上記説明に限定されず、あらゆる変形を包含する。
【図面の簡単な説明】
【００５３】
【図１】本発明の第１の実施例において、囲体内が部分的真空を適用していない状態にある本発明の装置を示す概略垂直断面図である。
【図２】図１において、囲体内に部分的真空が適用された状態を示す概略垂直断面図である。
【図３】他の実施例を示す図１，２と同様の概略図であり、囲体が２つのエプロン状側壁を有し、囲体内が部分的真空を適用していない状態にある。
【図４】図３において、囲体内に部分的真空が適用された状態を示す概略垂直断面図である。
【図５】図３，４に示した実施例の変形であり、囲体内が部分的真空とされる前の状態を示している。
【図６】図３，４に示した実施例の変形であり、囲体内が部分的真空とされた後の状態を示している。
【図７】先に示した図と同様の図の部分図であり、囲体内が部分的真空とされる前の状態にある装置の底部を示す実施例である。
【図８】先に示した図と同様の図の部分図であり、囲体内が部分的真空とされた後の状態にある本発明の装置の底部を示す実施例である。
【図９】柔軟な気密封筒状バッグの縁壁の例を示し、部分的真空とされる前の状態を示す本発明の装置の平面図である。
【図１０】柔軟な気密封筒状バッグの縁壁の例を示し、部分的真空とされた後の状態を示す本発明の装置の平面図である。
【図１１】本発明の主題について、他の好ましい実施例を示す概略斜視図である。
【図１２】図１１に示した実施例を拡大して示す図１と同様の概略図である。
【図１３】図１１，１２に示した実施例の縁壁の例を示す図９，１０と同様の図であり、囲体内が部分的真空とされる前の状態を示している。
【図１４】図１１，１２に示した実施例の縁壁の例を示す図９，１０と同様の図であり、囲体内が部分的真空とされた後の状態を示している。
【図１５】柔軟な封筒状バッグにアクセスする実施例を示す、本発明の装置の垂直立断面図（正面図）である。
【図１６】柔軟な封筒状バッグにアクセスする実施例を示す、本発明の装置の垂直立断面図（側面図）である。
【図１７】図１７ａ−１７ｃは、本発明の装置の水平断面を示している。
【図１８】本発明の主題の、外装、制御パネルおよび真空ポンプを有する装置の概略斜視図である。
【図１９】図１９ａ−１９ｃは、封筒状バッグの底部に向かって廃物を押しつぶす手段の第１の実施例を示し、これらの図は、図１，２と同様である。
【図２０】図２０ａ−２０ｃは、封筒状バッグの底部に向かって廃物を押しつぶす手段の第２の実施例を示す、図１９ａ−１９ｃと同様の図である。
【図２１】図２１ａおよび２１ｂは、封筒状バッグの底部に向かって廃物を押しつぶす手段の第３の実施例を示す、図１９ａ−１９ｃと同様の図である。
【図２２】図２２ａおよび２２ｂは、封筒状バッグの底部に向かって廃物を押しつぶす手段の第４の実施例を示す、図１９ａ−１９ｃと同様の図である。
【図２３】図２３ａ−２３ｃは、封筒状バッグの内側で廃物が再び上方に向かって膨れ上がるのを防止する手段の第１の実施例を示す、図１９ａ−１９ｃと同様の図である。
【図２４】封筒状バッグの内側で廃物が再び上方に向かって膨れ上がるのを防止する手段の第２の実施例を示す、図１９ａ−１９ｃと同様の図である。
【図２５】図２５ａ−２５ｄは、封筒状バッグ内に廃物を保持し、かつ入口部に空き導入スペースを確保するために、本発明によって与えられた手段の第１の実施例を示す、図１９ａ−１９ｃと同様の図である。
【図２６】図２６ａ−２６ｄは、封筒状バッグ内に廃物を保持し、かつ空き導入スペースを確保するために、本発明によって与えられた手段の第２の実施例を示す、図１９ａ−１９ｃと同様の図である。
【図２７】図２７ａおよび２７ｂは、封筒状バッグ内に廃物を保持し、かつ空き導入スペースを確保するために、本発明によって与えられた手段の第３の実施例を示す、図１９ａ−１９ｃと同様の図である。
【符号の説明】
【００５４】
１，７  囲体、
２，２’  プレート（またはボード）、
３  壁、
４  外装、
５  開放面、
６  ふた（ドア）、
８  底壁、
９  プレート、
１０  伸縮式底部、
１１  上部パネル、
１２  下部パネル、
１３  縁壁、
１４  封筒状バッグ、
１５  開口小側部、
１６  小側部（または底部）、
１７  プレート、
１８  小側部、
１９  制御パネル、
２０  真空ポンプ、
２１  容積部品、
２２  格納式容積部品、
２３  ボード、
２４  粗面、
２５  管（運動ネック）、
２６  空き導入スペース、
２７  プレード（固定ネック）、
２８  内側形状部、
２９  伸縮式ボード。
【図１】
2007504071.tif 000003
【図２】
2007504071.tif 000004
【図３】
2007504071.tif 000005
【図４】
2007504071.tif 000006
【図５】
2007504071.tif 000007
【図６】
2007504071.tif 000008
【図７】
2007504071.tif 000009
【図８】
2007504071.tif 000010
【図９】
2007504071.tif 000011
【図１０】
2007504071.tif 000012
【図１１】
2007504071.tif 000013
【図１２】
2007504071.tif 000014
【図１３】
2007504071.tif 000015
【図１４】
2007504071.tif 000016
【図１５】
2007504071.tif 000017
【図１６】
2007504071.tif 000018
【図１７ａ】
2007504071.tif 000019
【図１７ｂ】
2007504071.tif 000020
【図１７ｃ】
2007504071.tif 000021
【図１８】
2007504071.tif 000022
【図１９ａ】
2007504071.tif 000023
【図１９ｂ】
2007504071.tif 000024
【図１９ｃ】
2007504071.tif 000025
【図２０ａ】
2007504071.tif 000026
【図２０ｂ】
2007504071.tif 000027
【図２０ｃ】
2007504071.tif 000028
【図２１ａ】
2007504071.tif 000029
【図２１ｂ】
2007504071.tif 000030
【図２２ａ】
2007504071.tif 000031
【図２２ｂ】
2007504071.tif 000032
【図２３ａ】
2007504071.tif 000033
【図２３ｂ】
2007504071.tif 000034
【図２３ｃ】
2007504071.tif 000035
【図２４】
2007504071.tif 000036
【図２５ａ】
2007504071.tif 000037
【図２５ｂ】
2007504071.tif 000038
【図２５ｃ】
2007504071.tif 000039
【図２５ｄ】
2007504071.tif 000040
【図２６ａ】
2007504071.tif 000041
【図２６ｂ】
2007504071.tif 000042
【図２６ｃ】
2007504071.tif 000043
【図２６ｄ】
2007504071.tif 000044
【図２７ａ】
2007504071.tif 000045
【図２７ｂ】
2007504071.tif 000046
【国際調査報告】
2007504071.tif 000047
2007504071.tif 000048
2007504071.tif 000049
2007504071.tif 000050